(57)【要約】【課題】長軸側照射ユニットの配光レンズによって発光ダイオードからの光を表示面の長軸に沿って強める表示体用照明装置において、表示面全体をより均一に明るく照らすことが可能な表示体用照明装置を提供することを課題としている。【解決手段】本発明は、縦横に長さの異なる表示体１の表示面２側に間隔を空けて配置された発光装置６を備え、該発光装置６は、発光ダイオード８及び配光レンズ９を有する照射ユニット７を複数有し、少なくとも１つの照射ユニット７Ａ，７Ｂは、配光レンズ９によって発光ダイオード８からの光を表示面２の長軸Ｘ１に沿って強め、少なくとも１つの発光ユニット７は、発光ダイオード８からの光を表示面２の短軸Ｘ２上の少なくとも中心以外の一部に強める配光レンズ９を有する。【選択図】図１
2014089872.tif 000002
【特許請求の範囲】
【請求項１】
縦横に長さの異なる表示体（１）の表示面（２）側に間隔を空けて配置された発光装置（６）を備え、該発光装置（６）は、表示面（２）に向かって光を照射する発光ダイオード（８）及び該発光ダイオード（８）からの光を表示面（２）側に配光する配光レンズ（９）を有する照射ユニット（７）を複数有し、該複数の照射ユニット（７）の少なくとも１つは、配光レンズ（９）によって発光ダイオード（８）からの光を表示面（２）の長軸（Ｘ１）に沿って強める長軸側照射ユニット（７Ａ，７Ｂ）になる表示体用照明装置において、前記複数の照射ユニット（７）には、上記長軸側照射ユニット（７Ａ，７Ｂ）とは別に、発光ダイオード（８）からの光を表示面（２）の短軸（Ｘ２）上の少なくとも中心以外の一部に強める配光レンズ（９）を有する短軸側照射ユニット（７Ｃ）が含まれる表示体用照明装置。
【請求項２】
短軸側照射ユニット（７Ｃ）の配光レンズ（９）は、長軸側照射ユニット（７Ａ，７Ｂ）の発光ダイオード（８）の光軸（Ｓ）と交差する短軸（Ｘ２）上に光を強める請求項１に記載の表示体用照明装置。
【請求項３】
発光装置（６）を、正面視で、表示体（２）の一端である配置端（２ａ）に配置し、発光ダイオード（８）の光軸（Ｓ）が、上記配置端（２ａ）の反対側端である照射端（２ｂ）側に傾斜するように該発光ダイオード（８）の姿勢を定めた請求項１又は２の何れかに記載の表示体用照明装置。
【請求項４】
表示面（２）の長軸（Ｘ１）方向に形成された対向辺の一方を配置端（２ａ）、他方を照射端（２ｂ）とし、短軸側照射ユニット（７Ｃ）は、配光レンズ（９）によって、発光ダイオード（８）からの光を上記短軸（Ｘ２）の照射端（２ｂ）寄りに強める請求項３に記載の表示体用照明装置。
【請求項５】
長軸側照射ユニット（７Ａ，７Ｂ）の少なくとも１つは、短軸（Ｘ２）における照射端（２ｂ）寄り部分の光を強める配光レンズ（９）を有する長軸側不均等照射ユニット（７Ｂ）になる請求項４に記載の表示体用照明装置。
【請求項６】
長軸側照射ユニット（７Ａ，７Ｂ）の少なくとも１つは、短軸（Ｘ２）の両側に均等に光を分配する配光レンズ（９）を有する長軸側均等照射ユニット（７Ａ）になる請求項４又は５の何れかに記載の表示体用照明装置。
【請求項７】
表示面（２）の一端が配置端（２ａ）にも照射端（２ｂ）にもなるように、該一端に発光装置（６）を設けるとともに、該一端の反対側端にも発光装置（６）を設ける請求項３乃至６の何れかに記載の表示体用照明装置。
【請求項８】
表示体（１）に複数の発光装置（６）を設けた請求項１乃至７の何れかに記載の表示体用照明装置。
【請求項９】
長軸側照射ユニット（７Ａ，７Ｂ）を、短軸側照射ユニット（７Ｃ）よりも多く設けた請求項１乃至８の何れかに記載の表示体用照明装置。
【発明の詳細な説明】
【技術分野】
【０００１】
この発明は、看板等の表示体を照らす表示体用照明装置に関する。
【背景技術】
【０００２】
縦横に長さの異なる表示体の表示面側に間隔を空けて配置された発光装置を備え、該発光装置は、表示面に向かって光を照射する発光ダイオード及び該発光ダイオードからの光を表示面側に配光する配光レンズを有する照射ユニットを複数有し、該複数の照射ユニットの少なくとも１つは、配光レンズによって発光ダイオードからの光を表示面の長軸に沿って強める長軸側照射ユニットになる特許文献１に示す表示体用照明装置が公知になっている。
【先行技術文献】
【特許文献】
【０００３】
【特許文献１】特許第４７４６１５２号公報
【発明の概要】
【発明が解決しようとする課題】
【０００４】
上記文献の表示体用照明装置は、長軸側照射ユニットによって、発光ダイオードからの光が表示面の長軸に沿って強められるため、指向性がある程度の広い発光ダイオードを用いた場合には、表示面の広い範囲を均一な明るさで照らすことが可能になる。
一方、表示面の長軸側に光を強める分、短軸側の光が不足して、表面の一部が周りに比べて暗くなり、表示面全体をより均一に明るく照らすことができない場合がある。
【０００５】
本発明は、長軸側照射ユニットの配光レンズによって発光ダイオードからの光を表示面の長軸に沿って強める表示体用照明装置において、表示面全体をより均一に明るく照らすことが可能な表示体用照明装置を提供することを課題としている。
【課題を解決するための手段】
【０００６】
上記課題を解決するため、第１に、縦横に長さの異なる表示体１の表示面２側に間隔を空けて配置された発光装置６を備え、該発光装置６は、表示面２に向かって光を照射する発光ダイオード８及び該発光ダイオード８からの光を表示面２側に配光する配光レンズ９を有する照射ユニット７を複数有し、該複数の照射ユニット７の少なくとも１つは、配光レンズ９によって発光ダイオード８からの光を表示面２の長軸Ｘ１に沿って強める長軸側照射ユニット７Ａ，７Ｂになる表示体用照明装置において、前記複数の照射ユニット７には、上記長軸側照射ユニット７Ａ，７Ｂとは別に、発光ダイオード８からの光を表示面２の短軸Ｘ２上の少なくとも中心以外の一部に強める配光レンズ９を有する短軸側照射ユニット７Ｃが含まれることを特徴とする。
【０００７】
第２に、短軸側照射ユニット７Ｃの配光レンズ９は、長軸側照射ユニット７Ａ，７Ｂの発光ダイオード８の光軸Ｓと交差する短軸Ｘ２上に光を強めることを特徴とする。
【０００８】
第３に、発光装置６を、正面視で、表示体２の一端である配置端２ａに配置し、発光ダイオード８の光軸Ｓが、上記配置端２ａの反対側端である照射端２ｂ側に傾斜するように該発光ダイオード８の姿勢を定めたことを特徴とする。
【０００９】
第４に、表示面２の長軸Ｘ１方向に形成された対向辺の一方を配置端２ａ、他方を照射端２ｂとし、短軸側照射ユニット７Ｃは、配光レンズ９によって、発光ダイオード８からの光を上記短軸Ｘ２の照射端２ｂ寄りに強めることを特徴とする。
【００１０】
第５に、長軸側照射ユニット７Ａ，７Ｂの少なくとも１つは、短軸Ｘ２における照射端２ｂ寄り部分の光を強める配光レンズ９を有する長軸側不均等照射ユニット７Ｂになることを特徴とする。
【００１１】
第６に、長軸側照射ユニット７Ａ，７Ｂの少なくとも１つは、短軸Ｘ２の両側に均等に光を分配する配光レンズ９を有する長軸側均等照射ユニット７Ａになることを特徴とする。
【００１２】
第７に、表示面２の一端が配置端２ａにも照射端２ｂにもなるように、該一端に発光装置６を設けるとともに、該一端の反対側端にも発光装置６を設けることを特徴とする。
【００１３】
第８に、表示体１に複数の発光装置６を設けたことを特徴とする。
【００１４】
第９に、長軸側照射ユニット７Ａ，７Ｂを、短軸側照射ユニット７Ｃよりも多く設けたことを特徴とする。
【発明の効果】
【００１５】
上記構成によれば、長軸側照射ユニットによって、発光ダイオードからの光が表示面の長軸に沿って強められて表示面の広い範囲をより均一の照らすことが可能になるとともに、表示面の長軸に沿って光を強める分だけ短軸側の光が不足して暗くなった該短軸上の少なくとも中心以外の一部分は、短軸側照射ユニットによって、明るく照らされるため、表示面全体をより均一に明るく照らすことができる。
【００１６】
また、短軸側照射ユニットの配光レンズは、長軸側照射ユニットの発光ダイオードの光軸と交差する短軸上に光を強めるものによれば、長軸側照射ユニットの発光ダイオードの光軸と交差する短軸側は、より暗くなりがちであるが、この部分を、短軸側照射ユニットによって明るく照らすことが可能になる。
【００１７】
また、発光装置を、正面視で、表示体の一端である配置端に配置し、発光ダイオードの光軸が、上記配置端の反対側端である照射端側に傾斜するように該発光ダイオードの姿勢を定め、表示面の長軸方向に形成された対向辺の一方を配置端、他方を照射端とし、短軸側照射ユニットは、配光レンズによって、発光ダイオードからの光を上記短軸の照射端寄りに強めるものによれば、長軸側照射ユニットのみでは暗くなりがちな照射端寄り部分を、短軸側照射ユニットによって、明るく照らすことができる。
【図面の簡単な説明】
【００１８】
【図１】本発明を適用した表示体用照明装置の正面図である。
【図２】本発明を適用した表示体用照明装置の側面図である。
【図３】筐体の対向面側の構成を説明する説明図である。
【図４】ＬＥＤの構成を示す側面図である。
【図５】（Ａ）は第１配光レンズを光軸方向から見た場合の形状を示す図面であり、（Ｂ），（Ｃ）は（Ａ）のＢ矢視図及びＣ矢視図である。
【図６】（Ａ），（Ｂ）は、第１照射ユニットの光軸方向視の光量分布図及び長軸方向の光量分布図である。
【図７】（Ａ）は第２配光レンズの光軸方向視の外形図であり、（Ｂ）は（Ａ）のＢ矢視図であり、（Ｃ）は（Ａ）のＣ−Ｃ断面図である。
【図８】第２照射ユニットの光軸方向視の光量分布図である。
【図９】（Ａ），（Ｂ）は第３照射ユニットの分解側面図及び平面図である。
【図１０】（Ａ）は第３照射ユニットの照射状態を真横から見た場合の説明図であり、（Ｂ）は第３照射ユニットの光軸方向視の光量分布図である。
【図１１】（Ａ）は本発明の別実施形態を示す正面図であり、（Ｂ）は本発明のさらに別の実施形態を示す正面図である。
【図１２】縦長の看板に設置される照明装置の構成を示す正面図である。
【発明を実施するための形態】
【００１９】
図１，図２は、本発明を適用した表示体用照明装置の正面図及び側面図である。横長な方形状の看板（表示体）１は、一方側の面である表面がフラットな表示面２になり、この表示面２には、広告情報、案内情報、その他の各種画像情報や文字情報からなる表示情報が直接印刷されるか、或いは、該表示情報が印刷されたシートが貼付されている。
【００２０】
このようにして、看板１の表示面２側には、本発明を適用した表示体用照明装置（以下、単に「照明装置」）３が配置され、この照明装置３によって、表示面２を明るく照らすことにより、夜間等で周囲が暗い場合にも、この表示面２の表示情報を確実に目視可能になる。
【００２１】
なお、看板１は、正面視長手方向が横方向に向けられた方形状に成形され、長軸Ｘ１が横方向に形成されるとともに、短軸Ｘ２が縦方向に形成されているが、この他、看板１全体を、縦横に長さの異なる長軸Ｘ１と短軸Ｘ２を有する菱形、楕円状その他の長円形状に成形してもよいし、或いはこれらを組合せてもよく、さらには、長軸Ｘ１及び短軸Ｘ２を縦横に有する表示面２を有していれば、表示体１自体の形状を板状に成形する必要も無い。
【００２２】
この看板１の方形状の表示面２における長軸Ｘ１方向に延びる一対の対向辺の一方が配置端２ａになり、他方が照射端２ｂになり、照明装置３は、この配置端２ａの中央部からから正面側に突出形成された前後方向の杆状の支持フレーム（支持部材）４と、支持フレーム４の突出端部に取付固定された方形厚板状の筐体６とを備えている。
【００２３】
この筐体６は、看板１の表示面２から所定間隔Ｄだけ離れた位置に支持固定される。この筐体６における表示面２との対向面（照射面）６ａに垂直な直線に沿って照明装置３から看板１への光の照射方向（光軸Ｓ）が設定され、この光軸Ｓは、筐体６を傾斜姿勢で支持フレームに固定することによって、水平方向に対して予め定めた所定角（傾斜角度）θだけ傾斜した状態になる。言換えると、光軸Ｓは、表示面２に向かって照射端２ｂ側に傾斜し、表示面２の照射端２ｂ寄り位置に達する。
【００２４】
図３は、筐体の対向面側の構成を説明する説明図であり、図４は、ＬＥＤの構成を示す側面図である。筐体６の上記対向面６ａには、複数の照射ユニット７が設置されている。各照射ユニット７は、１つのＬＥＤ（発光ダイオード）８と、１つの配光レンズ９とから構成されている。
【００２５】
各ＬＥＤ８は、照射方向が上記光軸Ｓに沿うようにして、筐体６に固定されているが、各ＬＥＤ８の光軸Ｓは個別に向きを調整してもよい。ちなみに、筐体６は、対向面６ａ側に複数の照射ユニット７を設置することにより、発光装置（投光器）として機能している。
【００２６】
このＬＥＤ８は、光軸Ｓに対して、拡散角度αが−２０〜２０度の範囲内では、光量が最大値を保持するとともに、拡散角度αが２０度以上または−２０度以下の範囲では、拡散角度αの絶対値が大きくなるに従って次第に光量が小さくなるように、光度分布が設定されている。
【００２７】
照射ユニット７には、第１照射ユニット（長軸側照射ユニット,長軸側均等照射ユニット）７Ａと、第２照射ユニット（長軸側照射ユニット,長軸側不均等照射ユニット）７Ｂと、第３照射ユニット（短軸側照射ユニット）７Ｃとの３種類が用意され、この３種類の照射ユニット７Ａ，７Ｂ，７Ｃには、専用の配光レンズ９である第１配光レンズ９Ａ、第２配光レンズ９Ｂ及び第３配光レンズ９Ｃがそれぞれ用いられる一方で、ＬＥＤ８は全て同一種類のものが用いられる。
【００２８】
図５（Ａ）は第１配光レンズを光軸方向から見た場合の形状を示す図面であり、（Ｂ），（Ｃ）は（Ａ）のＢ矢視図及びＣ矢視図であり、図６（Ａ），（Ｂ）は、第１照射ユニットの光軸方向視の光量分布図及び長軸方向の光量分布図である。第１配光レンズ９Ａは、光軸Ｓ方向視において、同一形状の一対の楕円同士を、長径が同一線上に位置するようにして互いを重ね合せた際の外形と略同一形状を有し、筐体６の対向面６ａからドーム状に盛上った形状に成形されており、光透性を有する部材（具体的には、無色透明な合成樹脂や硝子等）によって構成されている。
【００２９】
このようにして、上記長径方向に長軸Ｙ１が設定された配光レンズ９Ａの該長軸Ｙ１方向の中央部には、ＬＥＤ８を収容する収容スペースとなる収容部１１が形成されている。この収容部１１は、二等辺三角形状（さらに具体的には正三角形状）の断面形状を有して、長軸方向Ｙ１に直交する方向に形成されており、該収容部１１の全長方向両端及び対向面６ａ側面が開放されている。
【００３０】
そして、筐体６の対向面６ａに固定された状態のＬＥＤ８の上方側から、収容部１１を被せるようにして、各ＬＥＤ８に１つの配光レンズ９Ａを設置する。この際、収容部１１の全長方向中央部にＬＥＤ８を位置させるとともに、配光レンズ９Ａの長軸Ｙ１方向が看板１の長軸Ｘ１方向（看板１の長軸Ｘ１方向と平行になる方向）を向く姿勢で、該配光レンズ９Ａが、筐体６の対向面６ａ側に取付固定される。
【００３１】
配光レンズ９Ａの長軸Ｙ１を看板１の長軸Ｘ１と平行に設定することにより、ＬＥＤ８からの光は、光軸Ｓ上では強められて光量が少なくなるとともに、看板１の長軸Ｘ１に沿って強められて光量が多くなる他、看板１の短軸Ｘ２の両側に均等に光が分配される。
【００３２】
言換えると、ＬＥＤ８からの光が、配光レンズ９Ａによって、自身の長軸Ｙ１及び看板１の長軸Ｘ１と平行であって且つ自身の光軸Ｓと直交する配光線Ｚ１に沿って強められて光量が多くなるとともに、該光が、配光レンズ９Ａによって、自身の短軸Ｙ１と平行であって且つ自身の光軸Ｓ及び上記配光線Ｚ１の両方に直交する対称軸Ｚ２の該光軸Ｓを境にした両側に対称に配光される。この対称軸Ｚ２は、平面視で短軸Ｘ１とラップしているため、ＬＥＤ８からの光が、看板１の短軸Ｘ２の両側に均等に配光される。
【００３３】
具体的には、光軸Ｓに対して所定角度（具体的には６５度程度）分上記長軸Ｘ１方向両側に広がる範囲内（具体的には、−６５度〜６５度の間の範囲内）において、光軸Ｓに対して広角になる程、光量が多くなる。また、光軸Ｓ方向視で、配光線Ｚ１に対して対称な光量分布となるとともに、対象軸Ｚ１に対して対称な光量分布となる。
【００３４】
図７（Ａ）は第２配光レンズの光軸方向視の外形図であり、（Ｂ）は（Ａ）のＢ矢視図であり、（Ｃ）は（Ａ）のＣ−Ｃ断面図であり、図８は、第２照射ユニットの光軸方向視の光量分布図である。第２配光レンズ９Ｂは、光透性を有する部材（具体的には、無色透明な合成樹脂や硝子等）によって構成され、この第２配光レンズ９Ｂは、光軸Ｓ方向視で長円形をなして長さの異なる長軸Ｙ１と短軸Ｙ２とを縦横に有し、筐体６の対向面６ａから盛上った凸曲面状に成形されている。
【００３５】
具体的には、第２配光レンズ９Ｂは、長軸Ｙ１方向視で、表示面２から遠い側の面が、対向面６ａに対して垂直に立上っている一方で、それ以外の上面及び表示面２側の面が１／４周以上の円弧状に成形されている。また、第２配光レンズ９Ｂは、短軸Ｙ２方向視で、対称な１／２程度の円弧状をなしている。
【００３６】
この第２配光レンズ９Ｂには、ＬＥＤ８を収容する収容部１１が短軸Ｙ２方向に形成されている。この収容部１１は、断面視二等辺三角形状（さらに具体的には正三角形状）をなし、長軸Ｙ１方向視で、表示面２側に頂点が偏った逆Ｖ字状に形成されている。
【００３７】
そして、筐体６の対向面６ａに固定された状態のＬＥＤ８の上方側から、収容部１１を被せるようにして、各ＬＥＤ８に１つの配光レンズ９Ｂを設置する。この際、この収容部１１の短軸Ｙ２方向の中央部にＬＥＤ８が収容配置されるとともに、配光レンズ９Ｂの長軸Ｙ１方向が看板１の長軸Ｘ１方向（看板１の長軸Ｘ１方向と平行になる方向）を向く姿勢で、該配光レンズ９Ｂが、筐体６の対向面６ａ側に取付固定される。
【００３８】
配光レンズ９Ｂの長軸Ｙ１を看板１の長軸Ｘ１と平行に設定することにより、ＬＥＤ８からの光は、光軸Ｓ上では強められて光量が少なくなるとともに、看板１の長軸Ｘ１に沿って強められて光量が多くなる。
【００３９】
言換えると、ＬＥＤ８からの光が、配光レンズ９Ｂによって、自身の長軸Ｙ１及び看板１の長軸Ｘ１と平行であって且つ自身の光軸Ｓと直交する配光線Ｚ１に沿って強められて光量が多くなるとともに、該光が、配光レンズ９Ｂによって、自身の短軸Ｙ１と平行であって且つ自身の光軸Ｓ及び上記配光線Ｚ１の両方に直交する対称軸Ｚ２の該光軸Ｓを境にした一方側である強め側（図８の上側）で強められて光量が多くなるとともに、他方側である弱め側で弱められて光量が少なくなる。
【００４０】
この対称軸Ｚ２は、平面視で短軸Ｘ１とラップしているとともに、第２照射ユニット７Ｂの対称軸Ｚ２の強め側が照射端２ｂ寄りに向けられる一方で、強め側が配置端２ａ寄りに向けられる。
【００４１】
このため、第２配光レンズ９Ｂによって、ＬＥＤ８からの光を、光軸Ｓを境に長軸Ｘ１の両側に等分に配光し、この際の長軸Ｘ１上での光量分布図は、図６（Ｂ）に示すものと同一又は略同一になる他、ＬＥＤ８からの光が、光軸Ｓの境に表示面１の短軸Ｘ２の配置端２ａ寄り部分では、弱められて光量が少なくなるとともに、照射端２ａ寄り部分では、強められて光量が多くなる。
【００４２】
具体的には、光軸Ｓに対して所定角度（具体的には６５度程度）分上記長軸Ｘ１方向両側に広がる範囲内（具体的には、−６５度〜６５度の間の範囲内）において、光軸Ｓに対して広角になる程、光量が多くなる。また、光軸Ｓ方向視で、対象軸Ｚ１に対して対称な光量分布となるとともに、配光線Ｚ１に対して非対称な光量分布になり、照明装置３から遠い側である上側を、第２発光ユニット７Ｂによって、明るく照らすことが可能になる。
【００４３】
図９（Ａ），（Ｂ）は第３照射ユニットの分解側面図及び平面図であり、図１０（Ａ）は第３照射ユニットの照射状態を真横から見た場合の説明図であり、（Ｂ）は第３照射ユニットの光軸方向視の光量分布図である。この第３配光レンズ９Ｃは、ハウジング１２と、レンズ本体１３とを備えている。
【００４４】
ハウジング１２は、光軸Ｓと同一軸心となる円柱状に成形され、このハウジング１２の照射側端にはレンズ穴１２ａが穿設され、このレンズ穴１２ａは底側に向かって次第に径が小さくなるテーパー状に成形されており、このレンズ穴１２ａの底部は、ＬＥＤ８を収容する収容部１１に近接または連通（図示する例では近接）している。
【００４５】
収容部１１は、ＬＥＤ８の形状に沿う形状に成形され、ＬＥＤ８は、この収容部１１に嵌め込み収容された状態で、設置される。
【００４６】
レンズ本体１３は、レンズ穴１２ａの内周に沿う円錐台状に成形され、レンズ穴１２ａに嵌合挿入される。レンズ本体１３をレンズ穴１２ａに嵌合挿入した状態では、ハウジング１２及びレンズ本体１３が光軸Ｓと同一軸心となる。
【００４７】
このレンズ本体１３におけるレンズ穴１２ａの底側に位置する小径側端面は、ＬＥＤ８の発光部分の少なくとも一部が直接的または間接的（図示する例では、ハウジング１２を介して間接的）に収容される凹面１３ａとなる。
【００４８】
レンズ穴１２ａにレンズ本体１３全体を挿脱自在に嵌合挿入することにより第３配光レンズ９Ｃが構成され、この第３配光レンズ９Ｃの収容部１１にＬＥＤ８の全体を収容設置することにより、ＬＥＤ８の発光部分の少なくとも一部が凹面１３ａに収容されて第３照射ユニット７Ｃが構成される。
【００４９】
ちなみに、レンズ本体１３は、光透性を有する部材（具体的には、無色透明な合成樹脂や硝子等）によって構成されている。一方、ハウジング１２は、このような部材が構成することは必須ではないが、本例では、光透性を有する部材（具体的には、無色透明な合成樹脂や硝子等）によって構成されている。
【００５０】
該構成の第３照射ユニット７Ｃは、光軸Ｓに対して、１５〜３０度の角度（照射角度）βだけ広がった範囲が照射範囲に設定され、この照射範囲は、ハウジング１２のレンズ穴１２ａに嵌合設置するレンズ本体１３を交換することにより、設定変更可能である。
【００５１】
すなわち、第３照射ユニット７Ｃは、照射側に向かって円錐状に光を照射し、この第３照射ユニット７Ｃの光軸Ｓ方向視において、該光軸Ｓから３６０度均等に光が照射されて光量分布が光軸Ｓを中心とした円形をなす。このため、第３照射ユニット７Ｃでは、該光軸Ｓに沿って光が強められて、光軸Ｓ上で光量が最大になり、光軸Ｓ上に位置する、或いは近接する対象物を明るく照らす。そして、第３照射ユニット７Ｃの光軸Ｓは、表示面２の照射端２ｂ寄り部分に向けられている。
【００５２】
以上のような３種類の照射ユニット７Ａ，７Ｂ，７Ｃを、図２の示すようにして、筐体６の対向面６ａに配置している。
【００５３】
具体的には、第１照射ユニット７Ａと、第２照射ユニット７Ｂと、第３照射ユニット７Ｃとが行列状に配置されている。詳しく説明すると、平面視で、表示面２の短軸Ｘ２方向に沿って（具体的には平行に）所定間隔（図示する例では等間隔）毎に第１照射ユニット７Ａを複数並列させることにより第１照射ユニット列Ｌ１を構成し、平面視で、表示面２の短軸Ｘ２方向に沿って（具体的には平行に）所定間隔（図示する例では等間隔）毎に第２照射ユニット７Ｂを複数並列させることにより第２照射ユニット列Ｌ２を構成し、平面視で、表示面２の長軸Ｘ１方向に沿って（具体的には平行に）所定間隔（図示する例では等間隔）毎に第３照射ユニット７Ｃが複数並列させることにより第３照射ユニット列Ｌ３を構成している。
【００５４】
表示面２の長軸Ｘ１方向における中央側に、複数列（図示する例では２列）の第２照射ユニット列Ｌ２が形成され、この複数列配置された第２照射ユニット列Ｌ２の長軸Ｘ２方向両外側には、この第２照射ユニット列Ｌ２の集合を挟むようにして、第１照射ユニット列Ｌ１が一又は複数列（図示する例では１列）それぞれ配置されている。
【００５５】
この第２照射ユニット列Ｌ２の照射ユニット７Ｂの数は、第１照射ユニット列Ｌ１の照射ユニット７Ａの数よりも少なく、第１照射ユニット列Ｌ１及び第２照射ユニット列Ｌ２の一端同士は位置が揃えられているため、第１照射ユニット列Ｌ２の集合を挟んで対向する一対の第１照射ユニット列Ｌ１，Ｌ１の他端の間には、スペースが形成され、このスペースに、第３照射ユニット列Ｌ３が一又は複数列（図示する例では、１列）配設されている。
【００５６】
ちなみに、第３照射ユニット列Ｌ３の照射ユニット７Ｃの数は、第２照射ユニットＬ２の列数と同数であるとともに、第３照射ユニット列Ｌ３の列数は、第１照射ユニット列Ｌ１の照射ユニット７Ａの数から第２照射ユニット列Ｌ２の照射ユニット７Ａの数を減算した値と同一になり、これによって、対向面６ａの複数の照射ユニット７が行列状に配された状態になる。
【００５７】
以上のように構成される照明装置３によれば、表示面２の短軸Ｘ２方向における配置端２ａ寄りの範囲である近接エリアＡが、第１照射ユニット７Ａ及び第２照射ユニット７Ｂからの光によって、明るく均等に照らされるとともに、表示面２の短軸Ｘ２方向における照射端２ｂ寄りの範囲である離間エリアＢが、第２照射ユニット７Ｂからの光によって、明るく均等に照らされる。
【００５８】
さらに、短軸Ｘ２における第２照射ユニット７Ｂにより光が強められる側の端部（図示する例では、照射端２ｂ側）寄り部分である照射エリアＣは、上記２つの照射ユニット７Ａ，７Ｂからの光が届き難く、暗くなる傾向になるため、この照射エリアＣを、第３照射ユニット７Ｃからの光によって、集中的に明るく照らす。
【００５９】
ちなみに、短軸Ｘ２が複数想定される図１，２に示すような表示面２の場合には、この複数の短軸Ｘ２のうちで、光軸Ｓと交差又は正面視でラップする短軸Ｘ２の端部に、照射エリアＣが形成される。この照射エリアＣは、第１照射ユニット７Ａからの光や、第２照射ユニット７Ｂからの光が届き難く、暗くなり易い部分であるため、この部分を、第３照射ユニット７Ｃによって集中的に照らすため、表示面２の全体を均一且つ明るく照らすことが可能になる。
【００６０】
また、この照射エリアＣは、近接エリアＡや、離間アリアＢに比べて狭い範囲であるため、対向面６ａに設置する第３照射ユニット７Ｃの設置数は、第１照射ユニット７Ａの設置数や、第２照射ユニット７Ｂの設置数よりも少なくなっている。
【００６１】
なお、表示面１の面積の増減に対しては、第１照射ユニット７Ａの数と、第２照射ユニット７Ｂの数と、第３照射ユニット７Ｃの数との比率を大幅に変更せずに、各照射ユニット７の増減させることにより、対応可能である。
【００６２】
次に、図１１に基づき本発明の別実施形態について上記形態と異なる点を説明する。
図１１（Ａ）は本発明の別実施形態を示す正面図である。図１乃至図１０に示す形態では、１つの看板１に対して照明装置３を１つ設けたが、図１１（Ａ）に示す例では、長軸Ｘ１方向に長く延びる看板１に照明装置３を所定間隔（等間隔）毎に配置し、この少ない台数の照明装置３によって一方向に長い単一の看板１を明るく均等に照らすことが可能である。
【００６３】
このように、横長の看板１や縦長の看板１に、その長手方向に沿って、この照明装置３を複数並列させて設置すれば、設置台数を大幅に削除可能である。例えば、３０ｍの横長の看板１を照明しようとした場合、他の従来公知のＬＥＤ照明装置では、１００ＷのＬＥＤ照明装置が２９台必要であるのに対して、本照明装置３では、１１９Ｗの照明装置３が１／３以下の９台を横方向に所定間隔毎に並列させれば十分であり、この９台で、２９台の上記ＬＥＤ照明装置と同程度の明るさで照らすことが可能である。この他、エネルギー効率も高く、他の従来公知のＬＥＤ照明装置と比べて、消費電力が半分程度になる。
【００６４】
図１１（Ｂ）は本発明のさらに別の実施形態を示す正面図である。図１乃至図１０に示す形態では、表示面２の対向辺の一方側に照明装置３を設けて配置端２ａとし、他方側を照射端２ｂとしたが、図１１（Ｂ）に示す例では、配置端２ａが照射端２ｂにもなり、照射端２ｂが配置端２ａにもなるように、表示面２における一対の対向辺の一方側に照明装置３を設けるとともに、他方側にも照明装置３を設け、各対向辺を配置端２ａ及び照射端２ｂとしている。これによって、両側から、表示面２を均等に明るく照らすことが可能になる。
【００６５】
次に、図１２に基づき本発明の別実施形態について上記形態と異なる点を説明する。
図１２は、縦長の看板に設置される照明装置の構成を示す正面図である。同図に示す例では、縦長方形状に形成された表示面２の対向する短辺の一方を配置端２ａとし、他方を照射端２ｂとしている。
【００６６】
上述した形態と同様に、この配置端２ａの中央部に支持フレーム４を介して照明装置３を設置し、この照明装置３の光軸Ｓを照射端２ｂに向けるが、筐体６は、光軸Ｓの軸回りに９０度回転させた状態で、支持フレーム４も設置し、各第１配光レンズ９Ａ及び各第２配光レンズ９Ｂの短軸Ｙ２を、表示体２の短軸Ｘ２と同一方向に向ける。これによって、表示面２の全体を均一に明るく照らすことが可能になる。
【００６７】
なお、図示する例の場合、表示面２の短軸Ｘ２方向両側に均等に光を照射する必要があるため、対向面６ａには、第２照射ユニット７Ｂが設けずに、第２照射ユニット７Ｂの配置箇所には、代わりに第１照射ユニット７Ｂを設けてもよい。また、この場合には、第３照射ユニット７Ｃからの光が、上記短軸Ｘ２の一方側ではなく、両側を照射するように、該短軸Ｘの一方側を集中的に照射する第３照射ユニット７Ｃと、該短軸Ｘの他方側を集中的に照射する第３照射ユニット７Ｃとを、各別に設けてもよく、これを単一の第３照射ユニット７Ｃで行わせてもよい。
【００６８】
以上のような構成によって、表示面２の短辺側に照明装置３を設けた場合でも、表示体２の全体を明るく均等に照らすことが可能になる。
【符号の説明】
【００６９】
１  看板（表示体）
２  表示面
２ａ  配置端
２ｂ  照射端
６  筐体（発光装置，投光器）
７  照射ユニット
７Ａ  第１照射ユニット（長軸側照射ユニット）
７Ｂ  第２照射ユニット（長軸側照射ユニット，長軸側不均等照射ユニット）
７Ｃ  第３照射ユニット（短軸側照射ユニット，長軸側均等照射ユニット）
８  ＬＥＤ（発光ダイオード）
９  配光レンズ
Ｓ  光軸
Ｘ１  長軸
Ｘ２  短軸
【図１】
2014089872.tif 000003
【図２】
2014089872.tif 000004
【図３】
2014089872.tif 000005
【図４】
2014089872.tif 000006
【図５】
2014089872.tif 000007
【図６】
2014089872.tif 000008
【図７】
2014089872.tif 000009
【図８】
2014089872.tif 000010
【図９】
2014089872.tif 000011
【図１０】
2014089872.tif 000012
【図１１】
2014089872.tif 000013
【図１２】
2014089872.tif 000014